【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
第一光学式読取装置であって、キャリアを識別する標的可視表示に対して該第一光学式読取装置を露出するに足る第一視野を持ち、該キャリアはそこに少なくとも一つのサンプルチューブを保持するための一つ以上のコンパートメントを持つ、第一光学式読取装置と、
第二光学式読取装置であって、該キャリアによって保持されたサンプルチューブを識別する標的可視表示に対して該第二光学式読取装置を露出するに足る第二視野を持つ、第二光学式読取装置と、
該第一および第二光学式読取装置から得た識別データに基づいて、該サンプルチューブの内容物の操作を指示するために適応された処理制御装置と
を備える、サンプル識別システム。
【請求項２】
前記第一光学式読取装置の前記第一視野内に配置された第一マスクであって、前記キャリアを識別する前記標的可視表示に対する該第一光学式読取装置の露出を、該キャリアを識別する該標的可視表示に近接する他の可視表示を除いたものに限定する、第一マスクと、
前記第二光学式読取装置の前記第二視野内に配置された第二マスクであって、前記サンプルチューブを識別する前記標的可視表示に対する該第二光学式読取装置の露出を、該サンプルチューブを識別する該標的可視表示に近接する他の可視表示を除くものに限定する、第二マスクと
をさらに備えている、請求項１に記載のサンプル識別システム。
【請求項３】
前記第一および第二光学式読取装置は面走査カメラを備えている、請求項１に記載のサンプル識別システム。
【請求項４】
前記キャリアを識別する前記可視表示および前記サンプルチューブを識別する該可視表示はバーコードを備えている、請求項３に記載のサンプル識別システム。
【請求項５】
前記第一および第二光学式読取装置によって提供された面走査画像に基づいて、デジタル電子識別信号を提供するよう適応された画像復号器をさらに含む、請求項４に記載のサンプル識別システム。
【請求項６】
第一光学式読取装置であって、キャリアを識別する標的可視表示に対して該第一光学式読取装置を露出するに足る第一視野を持ち、該キャリアはそこに少なくとも一つのサンプルチューブを保持するための一つ以上のコンパートメントを持つ、第一光学式読取装置と、
第二光学式読取装置であって、該キャリアによって保持されたサンプルチューブを識別する標的可視表示に対して該第二光学式読取装置を露出するに足る第二視野を持つ、第二光学式読取装置と、
該第一および第二光学式読取装置からの出力信号に基づいて、デジタル電子識別信号を提供するために適応された一つ以上の復号器と、
を備える、サンプル識別システム。
【請求項７】
前記第一および第二読取装置は面走査カメラを備えている、請求項６に記載のサンプル識別システム。
【請求項８】
前記キャリアを識別する前記可視表示および前記サンプルチューブを識別する該可視表示はバーコードを備えている、請求項６に記載のサンプル識別システム。
【請求項９】
前記キャリアを識別する前記可視表示および前記サンプルチューブを識別する該可視表示はバーコードを備えている、請求項７に記載のサンプル識別システム。
【請求項１０】
前記第一光学式読取装置の前記第一視野内に配置された第一マスクであって、前記キャリアを識別する前記標的可視表示に対する該第一光学式読取装置の露出を、該キャリアを識別する該標的可視表示に近接する他の可視表示を除いたものに限定する、第一マスクと、
前記第二光学式読取装置の前記第二視野内に配置された第二マスクであって、前記サンプルチューブを識別する前記標的可視表示に対する該第二光学式読取装置の露出を、該サンプルチューブを識別する該標的可視表示に近接する他の可視表示を除くものに限定する、第二マスクと
をさらに備えている、請求項６に記載のサンプル識別システム。
【請求項１１】
前記復号器は、前記第一光学式読取装置によって取得された面走査画像からバーコード情報を抽出し、前記キャリア用の該バーコードに対応して出力されたデジタルコード化信号を提供する、請求項８に記載のサンプル識別システム。
【請求項１２】
前記復号器は、前記第二光学式読取装置によって取得された面走査画像からバーコード情報を抽出し、前記サンプルチューブ用の該バーコードに対応して出力されたデジタルコード化信号を提供する、請求項８に記載のサンプル識別システム。
【請求項１３】
前記復号器のうち少なくとも一つが、前記第二光学式読取装置によって取得された面走査画像からバーコード情報を抽出し、さらに前記サンプルチューブ用の前記バードコードに対応して前記デジタルコード化信号が出力される、請求項１１に記載のサンプル識別システム。
【請求項１４】
前記キャリア用の前記バーコードに対応して出力された前記デジタルコード化信号および前記サンプルチューブ用の前記バーコードに対応して出力された前記デジタルコード化信号が、処理装置へシリアルデータストリームで提供される、請求項１３に記載のサンプル識別システム。
【請求項１５】
前記処理装置は前記シリアルデータストリームを使用して、前記識別されたサンプルチューブの内容物の処理を制御する、請求項１４に記載のサンプル識別システム。
【請求項１６】
支持ブラケットと、
第一光学式読取装置であって、該支持ブラケットと固定関係にあり、キャリアを識別する標的可視表示に対して該第一光学式読取装置を露出するに足る第一視野を持ち、該キャリアはそこに少なくとも一つのサンプルチューブを保持するための一つ以上のコンパートメントを持つ、第一光学式読取装置と、
第二光学式読取装置であって、該支持ブラケットと固定関係にあり、該キャリアによって保持されたサンプルチューブを識別する標的可視表示に対して該第二光学式読取装置を露出するに足る第二視野を持つ、第二光学式読取装置と、
該キャリアを識別する該標的可視表示に対する該第一光学式読取装置の露出を、該キャリアを識別する該標的可視表示に近接する他の可視表示を除くものに限定するように配置された、第一マスクと、
該サンプルチューブを識別する該標的可視表示に対する該第二光学式読取装置の露出を、該サンプルチューブを識別する該標的可視表示に近接する他の可視表示を除くものに限定するように配置された、第二マスクと
を備える、サンプル識別システム。
【請求項１７】
前記支持ブラケットはフレーム部材に接続するように適応され、該フレーム部材に接続された場合、動作位置とサービス位置との間を動くことができる、請求項１６に記載のサンプル識別システム。
【請求項１８】
前記第一および第二光学式読取装置からの出力信号に基づいて、前記サンプルチューブに対応するデジタル電子識別信号を提供するように適応された一つ以上の復号器をさらに備えている、請求項１６に記載のサンプル識別システム。
【請求項１９】
前記第一および第二光学式読取装置は面走査カメラを備えている、請求項１８に記載のサンプル識別システム。
【請求項２０】
前記復号器のうち少なくとも一つが、前記第一光学式読取装置によって取得された面走査画像からバーコード情報を抽出し、該少なくとも一つの復号器は、前記キャリア用の前記バーコードに対応して出力されたデジタルコード化信号を提供する、請求項１９に記載のサンプル識別システム。
【請求項２１】
前記復号器のうち少なくとも一つが、前記第二光学式読取装置によって取得された面走査画像からバーコード情報を抽出し、該少なくとも一つの復号器は、前記サンプルチューブ用の前記バーコードに対応して出力されたデジタルコード化信号を提供する、請求項１９に記載のサンプル識別システム。
【請求項２２】
前記少なくとも一つの復号器が、前記第二読取装置によって取得された面走査画像からバーコード情報を抽出し、該少なくとも一つの復号器は、前記サンプルチューブ用の前記バーコードに対応して出力されたデジタルコード化信号を提供する、請求項２１に記載のサンプル識別システム。
【請求項２３】
前記キャリア用の前記バーコードに対応して出力された前記デジタルコード化信号および前記サンプルチューブ用の該バーコードに対応して出力された該デジタルコード化信号は、処理制御装置へシリアルデータストリームで提供される、請求項２２に記載のサンプル識別システム。
【請求項２４】
前記処理制御装置は前記シリアルデータストリームを使用して、識別されたサンプルチューブの内容物の操作を指示する、請求項１４に記載のサンプル識別システム。
【請求項２５】
レガシーサンプル処理システムの改造に使用するサンプル識別装置であって、
該レガシーサンプル処理システムの一つ以上の既存のフレーム部材への接続に適応する支持ブラケットと、
第一光学式読取装置であって、該支持ブラケットと固定関係にあり、キャリアを識別する標的可視表示に対して該第一光学式読取装置を露出するに足る第一視野を持ち、該キャリアはそこに少なくとも一つのサンプルチューブを保持するための一つ以上のコンパートメントを持つ、第一光学式読取装置と、
第二光学式読取装置であって、該支持ブラケットと固定関係にあり、該キャリアによって保持されたサンプルチューブを識別する標的可視表示に対して該第二光学式読取装置を露出するに足る第二視野を持つ、第二光学式読取装置と、
該第一および第二光学式読取装置を介して取得された識別データを該レガシーサンプル処理システムのレガシー処理制御装置による使用に適したデジタルデータ形式に変換するように適応されたインターフェース制御装置と
を備える、サンプル識別装置。
【請求項２６】
前記支持ブラケットに接続されたハウジングと、該ハウジング内に取り付けられた前記第一および第二光学式読取装置とをさらに含む、請求項２５に記載のサンプル識別装置。
【請求項２７】
前記インターフェース制御装置は前記ハウジング内に配置される、請求項２６に記載のサンプル識別装置。
【請求項２８】
前記インターフェース制御装置は前記ハウジングの外に配置される、請求項２６に記載のサンプル識別装置。
【請求項２９】
前記支持ブラケットと固定関係にあり、前記第一光学式読取装置に関して配置された第一マスクであって、前記キャリアを識別する前記標的可視表示に対する該第一光学式読取装置の露出を、該キャリアを識別する該標的可視表示に近接する他の可視表示を除くものに限定する、第一マスクと、
該支持ブラケットと固定関係にあり、前記第二視野内に配置された第二マスクであって、前記サンプルチューブを識別する該標的可視表示に対する前記第二光学式読取装置の露出を、該サンプルチューブを識別する該標的可視表示に近接する他の可視表示を除くものに限定する、第二マスクと
をさらに備えている、請求項２５に記載のサンプル識別装置。
【請求項３０】
前記第一および第二光学式読取装置はカメラを備えている、請求項２６に記載のサンプル識別装置。
【請求項３１】
前記キャリアを識別する前記可視表示および前記サンプルチューブを識別する該可視表示はバーコードを備えている、請求項３０に記載のサンプル識別装置。
【請求項３２】
前記支持ブラケットは、前記レガシー処理装置に取り付けられた場合、動作位置とサービス位置との間での動きに適応する、請求項２６に記載のサンプル識別装置。